(57)【要約】【課題】ロープ部材をリール部材に整然と巻き取ることのできるロープ巻取装置及びそれを用いるゴンドラ装置と養生ネット昇降装置を提供する。【解決手段】ロープ巻取装置１０は、ワイヤロープ１の経路を巻取リール１１の回転軸と略直交する面内でクランク状に迂回屈曲すると共に、揺動案内アーム１２は当該揺動案内アーム１２に導入されるワイヤロープ１の周方向に揺動自在に支持された揺動案内アーム１２を備え、この揺動案内アーム１によって巻取リール１１に至るワイヤロープ１案内するように構成されている。【選択図】              図１
2004217422.tif 000002
【特許請求の範囲】
【請求項１】
回転駆動手段によって回転駆動されるリール部材にロープ部材を巻き取るものであって、
前記リール部材に前記ロープ部材を導く所定長さの案内部材を備え、該案内部材は、前記ロープ部材を同一平面内で少なくとも二度屈曲する経路で案内すると共に、当該案内部材に導入されるロープ部材の周方向に揺動自在に支持され、その揺動によって前記リール部材に臨む排出先端が前記リール部材の軸方向と略平行に移動するように構成されていることを特徴とするロープ巻取装置。
【請求項２】
上記案内部材には、上記揺動支持部を挟むその排出先端と反対側に、その重量による揺動モーメントを相殺するカウンターウェイト部材を備えて構成されていることを特徴とする請求項１に記載のロープ巻取装置。
【請求項３】
建築物の上部から垂下された吊りロープ部材に作業床に設けられた巻き上げ機が係合し、前記巻き上げ機の駆動によって前記作業床が前記吊りロープ部材に沿って昇降するゴンドラ装置であって、
上記リール部材が前記作業床の側端部外側にその回転軸を水平として設けられると共に、該リール部材の下側に上記案内部材が配設され、前記吊りロープ部材は前記作業床に設けられた前記巻き上げ機から配索滑車部材を介して前記作業床の下面に沿って配索されて前記案内部材に至るように構成されていることを特徴とする請求項１又は２に記載のロープ巻取装置を用いるゴンドラ装置。
【請求項４】
建築物の壁面より突出する支持アーム部材と、上記ロープ巻取装置とを備えた支持部材が、建築物の屋上に壁面に沿って所定間隔で複数配設され、各支持部材の前記ロープ巻取装置から前記支持アーム部材を介して垂下配索されたロープ部材によって養生ネットの上縁を支持し、前記各支持部材のロープ巻取装置を同期駆動して前記養生ネットを昇降するよう構成されていることを特徴とする請求項１又は２に記載のロープ巻取装置を用いる養生ネット昇降装置。
【発明の詳細な説明】
【０００１】
【発明の属する技術分野】
本発明は、ロープ部材を巻き取って収納したり繰出したりする巻取り装置に関し、また、このような巻取装置を備えるゴンドラ装置と養生ネット昇降装置に関する。
【０００２】
【従来の技術】
工場や工事現場において物を吊り下げて昇降・移動する際に用いるワイヤロープ等のロープ部材は、必要長さ繰り出して用いられるようにリール部材に巻き取り収容されるようになっていることが多く、これによってキンクや結び目ができないように整然且つコンパクトな収容を可能としている。
【０００３】
通常一般のロープ巻取装置は、図１０（Ａ）に平面図，（Ｂ）に正面図を概念的に示すように、ロープ部材９１がシーブ等のガイド部材９２によって導かれてリール部材９３に至るように構成され、巻き取りによってロープ部材９１に生ずる張力がガイド部材９２からリール部材９３に至る経路長を最短距離に保つように作用すると共に既に巻き取られたロープ部材９１への乗り上げも防がれ、その結果としてロープ部材９１をリール部材９３に隙間なく整然と巻き取ることができるようになっているものである。
【０００４】
ここで、このようなロープ巻取装置を用いる昇降装置として、建築物の外壁面の施工や補修等の作業を行う際に、作業者が乗り込む作業床を壁面に沿って昇降可能に支持して成るゴンドラ装置や、作業壁面を覆う養生ネットを昇降させるネット昇降装置がある。
【０００５】
ロープ巻取装置を用いるゴンドラ装置は、例えば特許文献１に開示のごとく、建物の上縁部から垂下配設された吊りロープに、作業床に備えられたエンドレスワインダーと呼ばれる巻き上げ機が係合し、このエンドレスワインダーの駆動によって吊りロープに沿って昇降移動するようになっているものである。また、吊りロープの切断等の事故に際して作業床に搭乗している作業者の安全を確保するために、補助ロープが吊りロープと同様に垂下配置され、この補助ロープとゴンドラとを結合することも行われている。
【０００６】
このようなゴンドラ装置では、吊りロープ及び補助ロープは作業床の昇降範囲全域に対応した長さが必要であるが、作業床より下側に垂下したままではビル風等によって揺れて捻れたり建築物の外壁や窓に損傷を与えるといった不具合が生じるため、作業床より下方の吊りロープ及び補助ロープをリール部材に巻き取る巻取装置を備えるものが多い。
【０００７】
また、ネット昇降装置は、特許文献２に開示のごとく、モーターによって回転駆動されるリール部材を備える支持部材が、建築物の屋上にそのアームの先端を壁面より突出させて複数並設されると共に、養生ネットの上縁に結合された各吊り下げロープがそれぞれアーム先端を介してリール部材に巻き取られるように配索され、リール部材による吊り下げロープの巻取・繰出によって養生ネットを昇降するようになっているものがある。これにより、作業時以外は養生ネットによる覆いを外し、日照の阻害、居住者に対する圧迫感を防ぐと共に、強風時に養生ネットが広い面積で風を受けて不安定となることを防ぐことができる。
【０００８】
【特許文献１】
特開平８−１９９８０３号公報
【特許文献２】
特開平５−１８７１３４号公報
【０００９】
【発明が解決しようとする課題】
ところで、上記のごとき従来構成の巻取装置では、ロープ部材９１をリール部材９３に隙間なく整然と巻き取るためには、ロープ部材９１のガイド部材９２からリール部材９３に至る角度（フリートアングル：θ）を±２゜以内となるように設定する必要があった。つまり、巻き取り位置がリール部材９３の端部の時には、ロープ部材９１はガイド部材９２の出口（又はガイド部材９２内）で屈曲しなければならないが、図７（Ｃ）のベクトル図に示すようにロープ部材９１に作用している張力：Ｆによって屈曲に対する抗力：Ｆ１が生じてロープ部材９１が屈曲しづらくなり、その結果、角度が大きいと中央部に偏った乱雑な多段巻きになってしまうのである。このような状態となると、多重のロープ部材の中に外周側のロープ部材が沈み込んで絡み、最悪の場合円滑に繰り出しできなくなる恐れがある。
【００１０】
しかしながら、特に前述のゴンドラ装置等においてはスペースの関係上このフリートアングルを確保することが困難な場合が多く、ロープ部材を整然と巻き取ることが難しく、その結果、作業床の昇降に支障を来すという問題があった。
【００１１】
また、ロープ部材をリール部材に巻き取ることによって養生ネットを昇降させるような場合には、乱雑な多段巻きが生ずると各リール部材の巻取・繰出量が同期しなくなり、養生ネットの昇降量が異なって傾き、見苦しくなってしまうという問題がある。
【００１２】
本発明は、上記問題に鑑みてなされたものであって、ロープ部材をリール部材に整然と巻き取ることのできるロープ巻取装置及びそれを用いるゴンドラ装置と養生ネット昇降装置を提供することを目的とする。
【００１３】
【課題を解決する為の手段】
上記目的を達成する本発明のロープ巻取装置は、回転駆動手段によって回転駆動されるリール部材にロープ部材を巻き取るものであって、前記リール部材に前記ロープ部材を導く所定長さの案内部材を備え、該案内部材は、前記ロープ部材を同一平面内で少なくとも二度屈曲する経路で案内すると共に、当該案内部材に導入されるロープ部材の周方向に揺動自在に支持され、その揺動によって前記リール部材に臨む排出先端が前記リール部材の軸方向と略平行に移動するように構成されていることを特徴とする。
【００１４】
この構成により、回転駆動手段によってリール部材を回転駆動してロープ部材を巻き取る際には、巻き取りによってロープ部材に生ずる張力によって、案内部材が揺動操作され、案内部材がロープ部材の巻き取りに伴ってリール部材の幅で自然に揺動してリール部材にロープ部材を隙間なく整然と巻き取らせるように作用する。
【００１５】
また、上記案内部材には、上記揺動支持部を挟むその排出先端と反対側に、その重量による揺動モーメントを相殺するカウンターウェイト部材を備えて構成されていることを特徴とする。
【００１６】
この構成により、案内部材が垂立する姿勢であってリール部材に巻き取り作用中に何らかの原因でロープ部材の張力が消失しても、案内部材はカウンターウェイト部材の作用で横倒しとなることなくその位置を維持する。
【００１７】
また、そのロープ巻取装置を用いるゴンドラ装置として、建築物の上部から垂下された吊りロープ部材に作業床に設けられた巻き上げ機が係合し、前記巻き上げ機の駆動によって前記作業床が前記吊りロープ部材に沿って昇降するゴンドラ装置であって、上記リール部材が前記作業床の側端部外側にその回転軸を水平として設けられると共に、該リール部材の下側に上記案内部材が配設され、前記吊りロープ部材は前記作業床に設けられた前記巻き上げ機から配索滑車部材を介して前記作業床の下面に沿って配索されて前記案内部材に至るように構成されていることを特徴とする。
【００１８】
この構成により、リール部材への吊りロープ部材の巻取不良に起因する作業床の昇降不具合を防ぐことができる。
【００１９】
更に、そのロープ巻取装置を用いる養生ネット昇降装置として、建築物の壁面より突出する支持アーム部材と、上記ロープ巻取装置とを備えた支持部材が、建築物の屋上に壁面に沿って所定間隔で複数配設され、各支持部材の前記ロープ巻取装置から前記支持アーム部材を介して垂下配索されたロープ部材によって養生ネットの上縁を支持し、前記各支持部材のロープ巻取装置を同期駆動して前記養生ネットを昇降するよう構成されていることを特徴とする。
【００２０】
この構成により、多数のロープ巻取装置を同期作動させても、リール部材へのロープ部材の巻取不良に起因する養生ネットの昇降量の不均等は生ずることがない。
【００２１】
【発明の実施の形態】
以下、添付図面を参照して本発明の実施の形態について説明する。
図１は本発明に係るロープ巻取装置の一構成例の概念構成図であり、（Ａ）は側面図，（Ｂ）はその背面図である。
【００２２】
図示ロープ巻取装置１０は、図示しないモーター等の回転駆動手段によって回転駆動されるリール部材としての巻取リール１１に、案内部材としての揺動案内アーム１２によって案内されるロープ部材としてのワイヤロープ１を巻き取り、また、必要に応じて繰り出すものである。
【００２３】
巻取リール１１は、所定径の巻取軸１１Ａの両端にリールフランジ１１Ｂを備えて形成され、回転によってその巻取軸１１Ａにワイヤロープ１を巻き取り、また、繰り出す。
【００２４】
揺動案内アーム１２は、所定長さのアーム部１２Ａの両端にそれぞれガイドシーブ１２Ｂ（基部シーブ１２Ｂａ，先端シーブ１２Ｂｂ）を備えると共に、アーム部１２Ａの基端に装着部１２Ｃを備えて構成されている。
【００２５】
ガイドシーブ１２Ｂ（１２Ｂａ，１２Ｂｂ）は、それぞれアーム部１２Ａの長手方向と直交する回転軸で回転自在に装着されており、卷回したワイヤロープ１の経路を規定するようになっている。
【００２６】
装着部１２Ｃは、ワイヤロープ１が挿通可能な円筒状で、ガイドシーブ１２Ｂによって規定されるワイヤロープ１の経路に対してガイドシーブ１２Ｂの回転平面内で所定の角度（図示構成例では９０゜）を有して設けられている。
【００２７】
このような構成の揺動案内アーム１２は、装着部１２Ｃの軸中心を含む面が巻取リール１１の回転軸の中央に直交する位置関係で、装着部１２Ｃでブラケット１３にベアリングを介して回転自在に支持され、その揺動によって先端のガイドシーブ１２Ｂ（先端シーブ１２Ｂｂ）が巻取リール１１の回転軸（巻取軸１１Ａ）と略平行に移動するように設けられる。
【００２８】
揺動案内アーム１２によって案内されて巻取リール１１に至るワイヤロープ１の経路は、揺動案内アーム１２の装着部１２Ｃを貫通した後、基部シーブ１２Ｂａを卷回して所定角度で屈曲し、先端シーブ１２Ｂｂを卷回して逆側に屈曲して巻取リールに至る。つまり、巻取リール１１に向かう経路が途中巻取リール１１の回転軸と略直交する面内でクランク状に迂回屈曲するようになっているものである。
【００２９】
而して、上記のごとく構成されたロープ巻取装置１０は、下記のごとく作用して巻取リール１１の巻取軸１１Ａにワイヤロープ１を整然と多重に巻き取ることができる。
【００３０】
即ち、巻取リール１１を回転駆動してワイヤロープ１を巻取軸１１Ａに巻き取る際には、巻き取りによってワイヤロープ１に生ずる張力によって、当該ワイヤロープ１を案内する揺動案内アーム１２がその先端シーブ１２Ｂｂを巻取リール１１の巻き取り位置に対応させるように揺動操作され、その巻き取り位置と対応した先端シーブ１２Ｂｂからワイヤロープ１が送り出されることとなるため、揺動案内アーム１２がワイヤロープ１の巻き取りに伴って巻取リール１１の幅で自然に揺動して巻取リール１１にワイヤロープ１を隙間なく整然と巻き取ることができるものである。
【００３１】
ここで、揺動案内アーム１２の揺動は、巻取リール１１の回転軸と略直交する面内でクランク状に屈曲するワイヤロープ１の経路の屈曲以前（上流側）のワイヤロープ１供給経路軸（即ち揺動案内アーム１２の装着部１２Ｃの軸中心）を中心として行われる。つまり、揺動案内アーム１２の揺動は上流側のワイヤーロープ１を周方向に捻ることで許容されるものであって、張力の作用するワイヤロープ１を屈曲するものではないため、対抗する分力の発生もなく揺動案内アーム１２は極めて小さな力で揺動し得、その結果、揺動案内アーム１２は容易に揺動してワイヤロープ１を案内することができるものである。
【００３２】
尚、上記構成例において、装着部１２Ｃと、ガイドシーブ１２Ｂによって規定されるワイヤロープ１の経路の角度は、９０゜に限るものではなく適宜変更可能なものであるが、角度が浅くなると揺動案内アーム１２の揺動の際にワイヤロープ１の屈曲を要することとなるため、９０゜に近い方がより好ましい。
【００３３】
次に、図２乃至図５に基づいて上記のごときロープ巻取装置を適用したゴンドラ装置を説明する。図２はロープ巻取装置を適用したゴンドラ装置の作業床としてのゴンドラケージ３０を示し（Ａ）は平面図，（Ｂ）は正面図、図３はその側面図である。
【００３４】
図示ゴンドラ装置のゴンドラケージ３０は、横長の直方体状でその左右両側に巻き上げ機４０を備えており、この巻き上げ機４０が図示しない建築物の上部から垂下された吊りロープ部材としての吊りワイヤ３１に係合し、その駆動によって吊りワイヤ３１に沿って昇降するものである。
【００３５】
巻き上げ機４０は、いわゆるエンドレスワインダーと呼ばれるものであって、内設された駆動ドラムの周囲を吊りワイヤ３１が巻回して上下方向に貫通配索され、駆動ドラムに吊りワイヤ３１が係合状態となると共に駆動ドラムが駆動モーターによって回転駆動されることで当該駆動ドラムの吊りワイヤ３１に対する係合位置が変位することとなって、当該巻き上げ機４０が吊りワイヤ３１に対して相対的に移動するように構成されているものである。また、一体にロック装置を４１備えており、吊りワイヤ３１と平行に垂下された補助ワイヤ３２がこのロック装置４１を貫通して配索され、吊りワイヤ３１の切断や当該巻き上げ機４０の故障等不慮の際には補助ワイヤ３２を把持してゴンドラケージ３０落下を防ぐようになっている。
【００３６】
巻き上げ機４０より下側の吊りワイヤ３１及び補助ワイヤ３２は、それぞれゴンドラケージ３０の底面に配設された配索滑車部材としての配索シーブ３３を卷回してゴンドラケージ３０の側面に設けられた巻取装置５０に導かれ、当該巻取装置５０に巻取収納されるようになっている。
【００３７】
配索シーブ３３は、巻き上げ機４０の直下と巻取装置５０の直下にそれぞれ配設されており、巻き上げ機４０の下側に垂下した吊りワイヤ３１及び補助ワイヤ３２をゴンドラケージ３０の底面に沿って配索し、巻取装置５０の直下に導くようになっている。
【００３８】
巻取装置５０は、ゴンドラケージ３０の側面にその回転軸を直交させて設けられた回転駆動手段としての巻取駆動モーター５１に、リール部材である二個の巻取リール５２（吊りワイヤリール５２Ａ，補助ワイヤリール５２Ｂ）がそれぞれトルククラッチを介して装着されると共に、それら各巻取リール５２の下側に案内部材としての揺動案内アーム５３を備えて構成されており、揺動案内アーム５３によって案内供給される吊りワイヤ３１及び補助ワイヤ３２をそれぞれ所定のトルクで巻き取るようになっている。
【００３９】
揺動案内アーム５３は、図４（Ａ）に側面図，（Ｂ）に背面図を示すように、所定径の鋼管が鉛直な基端部５３Ａから所定の角度（本構成例では６０゜）で屈曲されると共にその屈曲部の内側と先端部の逆側が切り欠かれ、当該部位の両側面に溶接固定された支持板５３Ｂによって案内シーブ５３Ｃ（基部シーブ５３Ｃａ，先端シーブ５３Ｃｂ）が回転自在に支持されて構成され、基端部５３Ａに挿通されたワイヤ（吊りワイヤ３１，補助ワイヤ３２）を案内シーブ５３Ｃに卷回することでその配索経路をクランク状に屈曲するようになっている。また、基端部５３Ａには、装着フランジ５３Ｄが設けられており、この装着フランジ５３Ｄで図５に示すようにゴンドラケージ３０に固定されたブラケット３４にベアリング５４を介して基端部５３Ａの軸回りに回転自在に装着されている。
【００４０】
このような構成の巻取装置５０では、揺動案内アーム５３が基端部５３Ａを中心として揺動して巻取リール５２に吊りワイヤ３１及び補助ワイヤ３２を案内供給し、巻取リール５２に整然と多重に巻き取り収容することができる。
【００４１】
これにより、巻取リール５２への吊りワイヤ３１及び補助ワイヤ３２の巻取不良に起因するゴンドラケージ３０の昇降不具合を防ぐことができると共に、ゴンドラ装置の吊りワイヤ３１の巻取収容装置をコンパクトで合理的に構成することができるものである。
【００４２】
次に、本発明のロープ巻取装置の一構成例であるネット昇降装置を説明する。図６はネット昇降装置を備える建築物の外面作業装置の側面図，図７はそのは正面図である。
【００４３】
外面作業装置６０は、支持部材７０が建築物２の屋上部にその壁面に沿って水平方向に所定間隔で複数配設され、この支持部材７０が、養生架台６１と、ゴンドラケージ６２と、養生ネット６３をれぞれ吊り下げ支持して構成されている。養生ネット６３は養生架台６１より上側の前面側を開閉可能に覆うことができ、ゴンドラケージ６２はその養生ネット６３に覆われた空間内で昇降して建築物２の壁面作業を行うものである。
【００４４】
支持部材７０は、図７に拡大側面図を示すように、所定長さの支持アーム部材としての支持アーム７１の下側に装着アーム部７１Ａが直角に延設されると共に、支持アーム７１の後端に固定アーム７２が移動可能に装着され、建築物２の外縁凸部２Ａを装着アーム７１Ａ部と固定アーム７２の間に挟んで建築物２に支持アーム７１を水平として固定されるようになっている。
【００４５】
支持アーム７１には、架台用シーブ７３が前後（当該支持アーム７１の長手方向）に所定間隔で一対設けられると共に、それらの間にケージ用シーブ７４が設けられており、図示しないが端部が建築物２に固定されて架台用シーブ７３を介して配索された前後二条の架台ロープ６１Ａによって養生架台６１を吊り下げ支持し、端部が建築物２に固定されてケージ用シーブ７４を介して配索されたケージロープ６２Ａによってゴンドラケージ６２を吊り下げ支持するようになっている。
【００４６】
また、支持アーム７１には、その先端にネット用シーブ７５Ａを備えるシーブブラケット７５が装着されると共に、後端上側にロープ巻取装置の一構成例であるネット昇降装置８０が配設されており、このネット昇降装置８０からネット用シーブ７５Ａを介して垂下されたネットロープ部材としてのネットロープ６３Ａで養生ネット６３を吊り下げ支持している。尚、図７では、架台ロープ６１Ａ，ケージロープ６２Ａ及びネットロープ６３Ａは重なって表れている。
【００４７】
シーブブラケット７５は斜め上方に所定角度で延設されて支持アーム７１の上面より高い位置にネット用シーブ７５Ａを支持しており、このネット用シーブ７５Ａとネット昇降装置８０の間のネットロープ６３Ａの配索経路は支持アーム７１と略平行となる（即ち略水平）となるようになっている。
【００４８】
養生ネット６３は、その上縁に剛性を有する縁体６３ａが装着されてこの縁体６３ａにネットロープ６３Ａが結合されると共に、この縁体６３ａに設けられたリング６３ｂが外側の架台ロープ６１Ａに外挿されており、ネット昇降装置８０によるネットロープ６３Ａの巻取・繰出駆動によって架台ロープ６１Ａに沿って昇降するようになっている。
【００４９】
ネット昇降装置８０は、図８（Ａ）に正面図，（Ｂ）に側面図を示すように、リール部材としての巻取リール８２を回転駆動する回転駆動手段としてのギアモーター８３と、案内部材としての揺動アーム８４が、フレーム８１上に設けられて構成されている。
【００５０】
フレーム８１は、下側に装着部８１Ａを備えており、この装着部８１Ａで支持アーム７１の後端に固定されるようになっている。
【００５１】
巻取リール８２は、ギアモーター８３の回転軸に固定されており、その回転軸の中心軸は、フレーム８１を介して装着された支持アーム７１に対して直交し且つその上側に所定量離間するようになっている。
【００５２】
揺動アーム８４は、所定長さのアーム部８４Ａの基端部に、揺動支持部としての軸受部８４Ｂが巻取リール８２に対向して設けられると共に、この軸受部８４Ｂの軸心を挟んでアーム部８４Ａと対称位置にカウンターウェイト部材としてのカウンターウェイト８４Ｄを備えて構成されている。そして、軸受部８４Ｂがフレーム８１に設けられた支持軸８１Ｂにベアリング８１Ｃを介して揺動自在に嵌合し、巻取リール８２の前側に設けられている。
【００５３】
アーム部８４Ａは、カウンターウェイト８４Ｄの上側に所定間隔で立設された二枚のアーム板８４Ａａの間の前後両端部に、それぞれ案内シーブ８４Ｃ（基部シーブ８４Ｃａ，先端シーブ８４Ｃｂ）が回転自在に設けられて構成され、軸受部８４Ｂはそのアーム板８４Ａａとカウンターウェイト８４Ｄとの結合部に形成されている。
【００５４】
揺動アーム８４の軸受部８４Ｂの中心は、基部シーブ８４Ｃａに配索されるネットロープ６３Ａの延長線と略一致しており、また、フレーム８１の支持軸８１Ｂは巻取リール８２の幅方向中心を通る面内に設定されている。従って、揺動アーム８４は巻取リール８２の幅方向中心位置で且つ基部シーブ８４Ｃａに配索されるネットロープ６３Ａを略中心として揺動し得るように設けられているものである。
【００５５】
カウンターウェイト８４Ｄの重量は、その重量によって作用する回転モーメントが、アーム部８４Ａの重量によって作用する回転モーメントと等しいかそれを僅かに上回るように設定されている。これにより、自由状態では、このカウンターウェイト８４Ｄの作用によってアーム部８４Ａが（即ち揺動アーム８４）が揺動しないか又は垂立状態となるようになっている。
【００５６】
このような構成により、揺動アーム８４は、自由状態では巻取リール８２の幅方向中心と対応して垂立し、その揺動によって先端シーブ８４Ｃｂが巻取リール８２の厚さ方向に移動するように設けられているものである。
【００５７】
ネットロープ６３Ａは、軸受部８４Ｂの逆側から基部シーブ８４Ｃａに掛け回されて先端シーブ８４Ｃｂを巻回して巻取リール８２に配索されている。
【００５８】
このような構成のネット昇降装置８０では、ギアモーター８３によって巻取リール８２を回転駆動してネットロープ６３Ａを巻き取る際、揺動アーム８４が軸受部８４Ｂを中心として揺動して巻取リール８２にネットロープ６３Ａを案内供給し、整然と多重に巻き取り収容することができる。
【００５９】
ここで、万一何らかの原因でネットロープ６３Ａの張力が消失しても、揺動アーム８４はカウンターウェイト８４Ｄの作用によってその位置を維持又は垂立状態に戻り、整然とした巻き取りを継続することができる。つまり、本構成のごとく揺動アーム８４が垂立した状態で揺動するものでカウンターウェイト８４Ｄが無い場合にには、ネットロープ６３Ａの張力が消失すると揺動アーム８４はその自重で傾いて横倒しとなり、その結果、ネットロープ６３Ａを巻取リール８２に整然と巻き取るように案内することができなくなって巻取リール８２の片側に偏った段巻きを招来することとなるが、本構成例のように揺動アーム８４の姿勢を中立状態に保つカウンターウェイト８４Ｄを備えることで、このようなことを防ぐことができるものである。
【００６０】
このようなネット昇降装置８０を用いることにより、複数のネット昇降装置８０を同期作動させても、巻取リール８２へのネットロープ６３Ａの巻取不良に起因する養生ネット６３の昇降量の不均等がなく、養生ネット６３の上縁が斜めとなる不具合を防ぐことができるものである。
【００６１】
【発明の効果】
以上述べたように、本発明に係るロープ巻取装置では、リール部材にロープ部材を導く所定長さの案内部材を備え、該案内部材は、ロープ部材を同一平面内で少なくとも二度屈曲する経路で案内すると共に、当該案内部材に導入されるロープ部材の周方向に揺動自在に支持され、その揺動によってリール部材に臨む排出先端がリール部材の軸方向と略平行に移動するように構成されていることにより、揺動案内アームは、リール部材の回転軸と略直交する面内で屈曲するロープ部材の経路の屈曲以前のロープ部材の周方向に揺動するものであるため、対抗する分力の発生もなく極めて小さな力で揺動し得る。これにより、巻き取りによってロープ部材に生ずる張力によって当該ロープ部材を案内する案内部材がその排出先端をリール部材の巻き取り位置に対応させるように揺動操作され、その巻き取り位置と対応した排出先端からロープ部材が送り出されることとなるため、案内部材がロープ部材の巻き取りに伴ってリール部材の幅で揺動してリール部材にロープ部材を隙間なく整然と巻き取ることができるものである。
【００６２】
また、上記案内部材には、上記揺動支持部を挟むその排出先端と反対側に、その重量による揺動モーメントを相殺する重量のカウンターウェイト部材を備えて構成されていることにより、案内部材が垂立する姿勢であってリール部材に巻き取り作用中に何らかの原因でロープ部材の張力が一時消失しても、案内部材はカウンターウェイト部材の作用によって横倒しとなることがなく、整然とした巻き取りを継続することができるものである。
【００６３】
また、ロープ巻取装置を用いるゴンドラ装置として、リール部材が作業床の側端部外側にその回転軸を水平として設けられると共に、該リール部材の下側に案内部材が配設され、吊りロープ部材は作業床に設けられた巻き上げ機から配索滑車部材を介して作業床の下面に沿って配索されて案内部材に至るように構成されていることにより、リール部材への吊りロープ部材の巻取不良に起因する作業床の昇降不具合を防ぐことができると共に、ロープ巻取装置をコンパクトで合理的に配置することができるものである。
【００６４】
更に、ロープ巻取装置を用いる養生ネット昇降装置として、建築物の壁面より突出する支持アーム部材と、上記ロープ巻取装置とを備えた支持部材が、建築物の屋上に壁面に沿って所定間隔で複数配設され、各支持部材のロープ巻取装置から支持アーム部材を介して垂下配索されたロープ部材によって養生ネットの上縁を支持し、各支持部材のロープ巻取装置を同期駆動して養生ネットを昇降するよう構成されていることにより、各ロープ巻取装置のリール部材へのロープ部材の巻取不良に起因する養生ネットの昇降量の不均等がなく、養生ネットの上縁が斜めとなる不具合を生ずることがないものである。
【図面の簡単な説明】
【図１】本発明に係るロープ巻取装置の一構成例の概念構成図であり、（Ａ）は側面図，（Ｂ）はその背面図である。
【図２】ロープ巻取装置を適用したゴンドラ装置のゴンドラケージを示し、（Ａ）は平面図，（Ｂ）は正面図である。
【図３】ゴンドラケージの側面図である。
【図４】揺動案内アームを示し、（Ａ）は側面図，（Ｂ）は背面図である。
【図５】揺動案内アームの基端部の拡大断面図である。
【図６】養生ネット昇降装置を備える建築物の外面作業装置の側面図である。
【図７】外面作業装置の正面図である。
【図８】支持アーム部材の拡大側面図である。
【図９】ネット昇降装置を示し、（Ａ）は正面図，（Ｂ）は側面図である。
【図１０】従来例としてのロープ巻取装置の概念図であり、（Ａ）は平面図，（Ｂ）は正面図，（Ｃ）はロープ屈曲によって作用する力を示すベクトル図である。
【符号の説明】
１  ワイヤロープ（ロープ部材）
２  建築物
１０  ロープ巻取装置
１１  巻取リール（リール部材）
１２  揺動案内アーム（案内部材）
３０  ゴンドラケージ（作業床）
３１  吊りワイヤ（吊りロープ部材）
３２  補助ワイヤ（吊りロープ部材）
３３  配索シーブ（配索滑車部材）
４０  巻き上げ機
５１  巻取駆動モーター（回転駆動手段）
５２  巻取リール（リール部材）
５３  揺動案内アーム（案内部材）
６３  養生ネット
６３Ａ  ネットロープ（ロープ部材）
７０  支持部材
７１  支持アーム（支持アーム部材）
８０  ネット昇降装置（ロープ巻取装置）
８２  巻取リール（リール部材）
８３  ギアモーター（回転駆動手段）
８４  揺動アーム（案内部材）
８４Ｂ  軸受部（揺動支持部）
８４Ｄ  ウンターウェイト（ウンターウェイト部材）
【図１】
2004217422.tif 000003
【図２】
2004217422.tif 000004
【図３】
2004217422.tif 000005
【図４】
2004217422.tif 000006
【図５】
2004217422.tif 000007
【図６】
2004217422.tif 000008
【図７】
2004217422.tif 000009
【図８】
2004217422.tif 000010
【図９】
2004217422.tif 000011
【図１０】
2004217422.tif 000012